(57)【要約】【課題】接点ばねの頂部のめっきが剥がれにくい押釦スイッチの提供。【解決手段】操作部材４と、この操作部材４に対向する基板７上に設けられた固定接点９と、頂部１１の凹曲面側に固定接点９に対応する可動接点１２が設けられた接点ばね１０と、この接点ばね１０の凸曲面側と基板７とに粘着されていて基板７に対して接点ばね１０を反転および復元可能に固定するシート部材１３とを備えている。可動接点１２は頂部１１の凹曲面側で突起している。シート部材１３を挟んで接点ばね１０の頂部１１に対向する位置には、操作部材４に与えられた押圧力を接点ばね１０に伝達するための伝達部材１６が配置されていてシート部材１３に接着されている。この伝達部材１６は、可動接点１２を含む接点ばね１０の頂部の所定範囲の投影面よりも広い範囲を覆う大きさに設定されている。【選択図】図１
2007299588.tif 000002
【特許請求の範囲】
【請求項１】
押圧操作される操作部材と、
この操作部材に対向する基板上に設けられた固定接点と、
断面の基本形状がアーチ状に形成された弾性体であって、前記操作部材と前記固定接点との間に配置され、前記固定接点に対応する可動接点が頂部の凹曲面側に設けられた接点ばねと、
この接点ばねの凸曲面側と前記基板とに粘着されていて前記基板に対して前記接点ばねを反転および復元可能に固定するシート部材とを備えていて、
前記可動接点が前記接点ばねの頂部の凹曲面側で突起している押釦スイッチであって、
前記シート部材を挟んで前記接点ばねの頂部に対向する位置で前記シート部材に一体に設けられていて、前記操作部材に与えられる押圧力を前記接点ばねに伝達するための伝達部材を備えていて、
この伝達部材が、前記可動接点を含む前記接点ばねの頂部の所定範囲の投影面よりも広い範囲を覆う大きさに設定されていることを特徴とする押釦スイッチ。
【請求項２】
請求項１に記載の発明において、前記可動接点が前記接点ばねの頂部の中心を囲むように点在していることを特徴とする押釦スイッチ。
【請求項３】
請求項２記載の発明において、前記可動接点が３つ設けられていて、各可動接点から前記頂部の中心までの各距離が互いに等しく、可動接点同士の各間隔が互いに等しく設定されていることを特徴とする押釦スイッチ。
【請求項４】
請求項１〜３のいずれか１項に記載の押釦スイッチの作製に用いられる接点ばね付きシートであって、
前記接点ばねと、前記伝達部材と、前記シート部材とを備えていて、
前記接点ばねの凸曲面側と前記シート部材とが粘着されていて、前記シート部材を挟んで前記接点ばねの頂部に対向して前記伝達部材が配置されていて前記伝達部材と前記シート部材とが接着されていることを特徴とする接点ばね付きシート。
【請求項５】
請求項４記載の発明おいて、前記シート部材に対して、前記接点ばねと前記伝達部材との組合せが複数、所定の配列に並べられていることを特徴とする接点ばね付きシート。
【請求項６】
請求項４記載の発明において、前記シート部材が発光可能なものからなり、前記伝達部材が光透過性を有するものからなることを特徴とする接点ばね付きシート。
【請求項７】
請求項４記載の発明において、前記接点ばねが粘着保持された前記シート部材の面と前記接点ばねとを覆った状態で、前記シート部材に剥離可能に粘着される剥離部と、この剥離部と一体に形成されていて、前記伝達部材が接着された前記シート部材の面と前記伝達部材とを覆うカバー部とを有する剥離シートを備えていることを特徴とする接点ばね付きシート。
【発明の詳細な説明】
【技術分野】
【０００１】
本発明は、断面形状がアーチ状に形成された導電性を有する接点ばねが反転および復元することでオンまたはオフする押釦スイッチ、および、この押釦スイッチの作製に用いる接点ばね付きシートに関する。
【背景技術】
【０００２】
従来の押釦スイッチとしては特許文献１に示されたものがある。この従来の押釦スイッチは、押圧操作されるシート状の操作部材と、この操作部材に対向する位置に設けられている固定接点と、断面の基本形状がアーチ状に形成された弾性体であって、操作部材と固定接点との間に配置されていて、固定接点に対応する可動接点が頂部の凹曲面側に設けられている接点ばねとを備えている。可動接点は、接点ばねの頂部の凹曲面側で突起している。
【特許文献１】特開２００５−２０９６１６号公報
【発明の開示】
【発明が解決しようとする課題】
【０００３】
前述した従来技術に備えられる接点ばねには、固定接点との接離による安定した導通を得るために導電性の高い銀などの金属がめっきされた金属製板材を、絞り加工して作製されたものがある。絞り加工により作製された接点ばねでは、可動接点を形成する突起や突起の近傍に応力が集中しているため、操作部材から伝達される押圧力が頂部の一部に集中するということが繰り返されると、突起や突起の近傍からめっきが剥がれる可能性がある。
【０００４】
本発明は、前述した実状を考慮してなされたものであり、その目的は、接点ばねの頂部のめっきが剥がれにくい押釦スイッチ、および、この押釦スイッチの作製に用いられる接点ばね付きシートを提供することにある。
【課題を解決するための手段】
【０００５】
〔１〕本発明の押釦スイッチは、押圧操作される操作部材と、この操作部材に対向する基板上に設けられた固定接点と、断面の基本形状がアーチ状に形成された弾性体であって、前記操作部材と前記固定接点との間に配置され、前記固定接点に対応する可動接点が頂部の凹曲面側に設けられた接点ばねと、この接点ばねの凸曲面側と前記基板とに粘着されていて前記基板に対して前記接点ばねを反転および復元可能に固定するシート部材とを備えていて、前記可動接点が前記接点ばねの頂部の凹曲面側で突起している押釦スイッチであって、前記シート部材を挟んで前記接点ばねの頂部に対向する位置で前記シート部材に一体に設けられていて、前記操作部材に与えられる押圧力を前記接点ばねに伝達するための伝達部材を備えていて、この伝達部材が、前記可動接点を含む前記接点ばねの頂部の所定範囲の投影面よりも広い範囲を覆う大きさに設定されていることを特徴とする。
【０００６】
このように構成された本発明の押釦スイッチでは、伝達部材が可動接点を含む接点ばねの頂部の所定範囲の投影面よりも広い範囲を覆う大きさに設定されているので、操作部材から接点ばねに伝達される押圧力が、可動接点を含む接点ばねの頂部の所定範囲全体に分散する。つまり、接点ばねの頂部の一部に押圧力が集中するのを防止できる。これにより、接点ばねのめっきが剥がれにくくすることができる。
【０００７】
〔２〕本発明の押釦スイッチは、「〔１〕」に記載の押釦スイッチにおいて、前記可動接点が前記接点ばねの頂部の中心を囲むように点在していることを特徴とする。
【０００８】
このように構成された本発明の押釦スイッチでは、接点ばねの反転時に接点ばねの頂部が固定接点に対して傾いていたり、固定接点と可動接点の間に異物が噛み込まれていたりしていても、接点ばねの頂部の中心を囲むように点在する可動接点のいずれかを、固定接点に接触させることができる。これにより、操作部材を押圧操作したときの可動接点と固定接点との接触の確実性を向上させることができる。
【０００９】
〔３〕本発明の押釦スイッチは、「〔２〕」に記載の押釦スイッチにおいて、前記可動接点が３つ設けられていて、各可動接点から前記頂部の中心までの各距離が互いに等しく、可動接点同士の各間隔が互いに等しく設定されていることを特徴とする。
【００１０】
このように構成された本発明の押釦スイッチでは、操作部材を押圧操作したときの可動接点と固定接点との接触の確実性を、成形の容易な形状で効果的に向上させることができる。
【００１１】
〔４〕本発明の接点ばね付きシートは、「〔１〕」〜「〔３〕」のいずれか１に記載の押釦スイッチの作製に用いられる接点ばね付きシートであって、前記接点ばねと、前記伝達部材と、前記シート部材とを備えていて、前記接点ばねの凸曲面側と前記シート部材とが粘着されていて、前記シート部材を挟んで前記接点ばねの頂部に対向して前記伝達部材が配置されていて前記伝達部材と前記シート部材とが接着されていることを特徴とする。
【００１２】
このように構成された本発明の接点ばね付きシートは、接点ばね、伝達部材およびシート部材をまとめて１部品として扱うことができるので、「〔１〕」〜「〔３〕」のいずれか１に記載の押釦スイッチの作製の効率を向上させることに貢献できる。
【００１３】
〔５〕本発明の接点ばね付きシートは、「〔４〕」に記載の接点ばね付きシートにおいて、前記シート部材に対して、前記接点ばねと前記伝達部材との組合せが複数、所定の配列に並べられていることを特徴とする。
【００１４】
このように構成された本発明の接点ばね付きシートでは、複数の押釦スイッチが配列される操作盤を作製する際に、接点ばねと伝達部材の組合せを複数まとめて１部品として扱うことができる。所定の配列とは、操作盤に備えられる押釦スイッチの配列に対応して設定される配列のことである。
【００１５】
〔６〕本発明の接点ばね付きシートは、「〔４〕」に記載の接点ばね付きシートにおいて、前記シート部材が発光可能なものからなり、前記伝達部材が光透過性を有するものからなることを特徴とする。
【００１６】
このように構成された本発明の接点ばね付きシートを用いて押釦スイッチを作製することによって、接点ばねおよび伝達部材の組付けと、押釦スイッチの照光手段の組付けとを同時に行うことができる。また、シート部材が照光の光源を兼ねるので、押釦スイッチの照光のための部品を削減することができる。
【００１７】
〔７〕本発明の接点ばね付きシートは、「〔４〕」に記載の接点ばね付きシートにおいて、前記接点ばねが粘着保持された前記シート部材の面と前記接点ばねとを覆った状態で、前記シート部材に剥離可能に粘着される剥離部と、この剥離部と一体に形成されていて、前記伝達部材が接着された前記シート部材の面と前記伝達部材とを覆うカバー部とを有する剥離シートを備えていることを特徴とする。
【００１８】
このように構成された本発明では、搬送時や保管時に、接点ばねが粘着保持されたシート部材の面と接点ばねとを剥離部によって保護することができ、伝達部材が接着されたシート部材の面と伝達部材とをカバー部によって保護することができる。
【発明の効果】
【００１９】
本発明は、接点ばねの頂部のめっきが剥がれにくい押釦スイッチを提供できるので、押釦スイッチの製品としての信頼性を向上させることができる。また、接点ばねの頂部のめっきが剥がれにくい押釦スイッチの作製の効率の向上に貢献できる接点ばね付きシートを提供できる。
【発明を実施するための最良の形態】
【００２０】
本発明の押釦スイッチおよびこの押釦スイッチの作製に用いられる接点ばね付きシートの一実施形態について説明する。
【００２１】
＜押釦スイッチ＞
本発明の押釦スイッチの一実施形態を図１〜３を用いて説明する。図１は本発明の押釦スイッチの一実施形態を複数備えた操作盤を示す断面図、図２は図１に示す操作盤から操作部材とケースを取り除いた状態を示す断面図、図３は図２のIII−III矢視図である。
【００２２】
本実施形態は、図１に示す操作盤１に配列される複数の押釦スイッチ３である。操作盤１が備えられる電気製品は、例えば携帯電話である。
【００２３】
図１に示すように、押釦スイッチ３は、押圧操作されるシート状の操作部材４を備えている。この操作部材４はシート５，６が貼り合わされてなる。シート５には、操作盤１のケース２から突出する押釦を構成する突出部５ａが形成されている。シート６には、シート５の突出部５ａに対応する位置で突出部５ａと相反する方向に突起する突起部６ａが形成されている。複数の押釦スイッチ３のそれぞれの操作部材４は、一体に形成されている。
【００２４】
操作部材４に対向する位置には基板７が配置されている。この基板７上には、円環状固定接点８と、この円環状固定接点８が描く円の中央に位置する中央固定接点９とが設けられている。
【００２５】
操作部材４と中央固定接点９との間には、接点ばね１０が配置されている。この接点ばね１０は、導電性の高い銀などの金属がめっきされた金属製板材を、絞り加工して作製された弾性体である。接点ばね１０の断面形状がアーチ状、例えばドーム状に形成されている。接点ばね１０の頂部１１の凹曲面側には、中央固定接点９に対応する可動接点１２が設けられている。接点ばね１０の縁部は、円環状固定接点８に常時接触している。
【００２６】
図２，３に示すように、可動接点１２は、接点ばね１０の頂部１１の凹曲面側で突出している。可動接点１２は、接点ばね１０の頂部１１の中心１１ａを囲むように点在している。可動接点１２は、例えば３つ設けられていて、各可動接点１２から頂部１１の中心１１ａまでの各距離が互いに等しく、可動接点１２同士の各間隔が互いに等しく設定されている。
【００２７】
接点ばね１０の凸曲面側にはシート部材１３が粘着されている。このシート部材１３は、接点ばね１０の外周側で基板７に粘着保持されている。つまり、接点ばね１０はシート部材１３を介して基板７に対して反転および復元可能に固定されている。
【００２８】
図２に示すように、シート部材１３を挟んで接点ばね１０の頂部１１に対向する位置には、操作部材４に与えられる押圧力を接点ばね１０に伝達するための伝達部材１６が配置されていて、シート部材１３に接着されている。この伝達部材１６は、可動接点１２を含む接点ばね１０の頂部１１の所定範囲の投影面よりも広い範囲を覆う大きさに設定されている。
【００２９】
接点ばね１０と伝達部材１６の組み合わせは、１のシート部材１３に対して複数設けられている。これらの接点ばね１０と伝達部材１６の組合せは、操作盤１における操作部材４の配列に対応して配列されている。
【００３０】
シート部材１３は、シート部材本体１４の下面に形成された粘着剤にスペーサシート１５の上面が貼り合わされてなる。シート部材本体１４は下面の粘着剤によって接点ばね１０を粘着保持するとともに上面に伝達部材１６を一体に保持している。スペーサシート１５は、各接点ばね１０を囲む複数の枠部１５ａを有していて、シート部材本体１４下面の粘着剤によって保持されるとともに、基板７に粘着剤で固定されている。つまり、シート部材本体１４がスペーサシート１５により基板７から浮かされていることによって、接点ばね１０の縁部近傍においてシート部材１３が基板７から剥離することが、防止されている。
【００３１】
なお、伝達部材１４は例えば紫外線硬化型の樹脂材をディスペンサーや印刷によってシート部材本体１４の上面に塗布した後に、紫外線を照射することで硬化させて接着することで一体形成することができる。また、この他、伝達部材１４を樹脂製の薄板で形成し、接着剤によってシート部材本体１４に接着させることや、樹脂板をレーザや熱によって溶着させることにより、一体化させることも可能である。
【００３２】
このように構成された押釦スイッチ３では、操作部材４が押圧されて伝達部材１６の位置まで撓むと、操作部材４に与えられた押圧力が伝達部材１６とシート部材１３のシート部材本体１４とを介して接点ばね１０の頂部１１に伝達される。
【００３３】
操作部材４から接点ばね１０の頂部１１に伝達される押圧力は、３つの可動接点１２を含む接点ばね１０の頂部１１の所定範囲全体に分散する。これは、３つの可動接点１２を含む接点ばね１０の頂部１１の所定範囲の投影面よりも広い範囲を覆う大きさに、伝達部材１６が設定されていることによる。
【００３４】
また、接点ばね１０は、押圧により反転することでクリック感触が生起されるが、接点ばねの頂部から周縁に向かって離れるに従いクリック感触が悪くなる。そのため、スイートスポットと称する可動接点１２を含む所定の範囲内に、操作部材４の押圧力が加えられるよう伝達部材１６の外縁が設定されている。
【００３５】
このようにして接点ばね１０の頂部１１に押圧力が与えられると、頂部１１が没して、すなわち接点ばね１０が反転して、３つの可動接点１２のいずれか、またはすべてが、中央固定接点９に接触する。これにより、中央固定接点６と円環状固定接点７が接点ばね３を介して導通する、すなわち、押釦スイッチ３がオンするとともに良好なクリック感触が得られる。
【００３６】
操作部材４に与えられていた押圧力がなくなると、接点ばね１０は自己のばね性によって初期状態に復帰するため、操作部材４、シート部材１３および接点ばね１０はそれぞれ復元して、図１に示す状態に戻る。これに伴い、可動接点１２が中央固定接点９から離隔するので、押釦スイッチ３がオフする。
【００３７】
押釦スイッチ３によれば次の効果を得られる。
【００３８】
押釦スイッチ３では、可動接点１２を含む接点ばね１０の頂部１１の所定範囲の投影面よりも広い範囲を覆う大きさに伝達部材１６が設定されている。これにより、操作部材４から接点ばね１０に伝達される押圧力が、可動接点１２を含む接点ばね１０の頂部１１の所定範囲全体に分散する。つまり、接点ばね１０の頂部１１の一部に押圧力が集中するのを防止できる。これにより、接点ばね１０の頂部１１のめっきが剥がれにくくすることができる。したがって、押釦スイッチの製品としての信頼性を向上させることができる。また、操作部材４と基板７との相対位置に組立て上の多少のずれがあっても、両者に対向する接点ばねには、伝達部材１６を介して操作部材４の押圧力が伝達されるので、良好なクリック感触を得ることができる。
【００３９】
また、押釦スイッチ３では、接点ばね１０の反転時に接点ばね１０の頂部１１が中央固定接点９に対して傾いていたり、中央固定接点９と可動接点１２との間に異物が噛み込まれていたりしていても、接点ばね１０の頂部１１の中心１１ａを囲むように点在する可動接点１２のいずれかと中央固定接点９とを接触させることができる。これにより、操作部材４を押圧操作したときの可動接点１２と中央固定接点９との接触の確実性を向上させることができる。
【００４０】
また、押釦スイッチ３では、可動接点１２が３つ設けられていて、各可動接点１２から頂部１１の中心１１ａまでの各距離が互いに等しく、可動接点１２同士の各間隔が互いに等しく設定されている。これにより、操作部材４を押圧操作したときの可動接点１２と中央固定接点９との接触の確実性を、絞り加工による成形の容易な接点ばね１０の形状で効果的に向上させることができる。
【００４１】
なお、押釦スイッチ３は、接点ばね１０に３つの可動接点１２が設けられた例であるが、本発明の押釦スイッチに備えられる可動接点はこれに限るものではなく、図６，７に示す可動接点３０でもよい。この可動接点３０は、接点ばね１０の頂部１１の凹曲面側において円環状に突起している。
【００４２】
さらに、押釦スイッチ３に備えられた接点ばね１０は平面視円形状に形成された例であったが、本発明の接点ばねの形状はこれに限らず、例えば平面視略矩形状や、平面視楕円状でも良い。
【００４３】
＜接点ばね付きシート＞
本発明の接点ばね付きシートの一実施形態について図４，５を用いて説明する。図４は図１に示す操作盤の作製に用いられる接点付きシートの一実施形態を示す断面図、図５は図４に示す接点付きシートの搬送時や保管時の状態を示す斜視図である。
【００４４】
本実施形態は、図４に示す接点ばね付きシート２０である。この接点ばね付きシート２０は、前述した押釦スイッチ３の作製に用いられるものである。
【００４５】
接点ばね付きシート２０は、接点ばね１０と、伝達部材１６と、シート部材１３とを備えていて、接点ばね１０の凸曲面側にシート部材１３が粘着されていて、シート部材１３を挟んで接点ばね１０の頂部に対向する位置で伝達部材１６がシート部材１３に接着等によって一体化されている。シート部材１３の本体は発光可能なもの、例えばＥＬ素子からなり、伝達部材１６は光透過性を有する樹脂からなる。
【００４６】
接点ばね１０と伝達部材１６の組合せは、１のシート部材１３に対して複数設けられている。これらの接点ばね１０と伝達部材１６の組合せは、操作盤１に複数備えられる押釦スイッチ３（操作部材４）の配列に対応するように、所定の配列に並べられている。
【００４７】
また、接点ばね付きシート２０は、剥離シート２１を備えている。この剥離シート２１は、枠状シート２２と保護シート２３とを貼り合わせてなる。枠状シート２２は、接点ばね付きシート２０の作製時において接点ばね１０とシート部材１３を粘着する際に、接点ばね１０を挿通する開口部２２ａが形成されているために、枠状に形成されている。保護シート２３は、各接点ばね１０とシート部材１３とが粘着された後に枠状シート２２に貼り付けられて、枠状シート２２の開口部２２ａを塞いでいる。
【００４８】
剥離シート２１は、接点ばね１０が粘着保持されたシート部材１３のシート部材本体１４の面と、接点ばね１０と、スペーサシート１５とを覆った状態で、スペーサシート１５に対して剥離可能に粘着されている。剥離シート２１に対向するスペーサシート１５の粘着面には粘着層が設けられていて、剥離シート２１が剥がされた状態のスペーサシート１５は、その粘着層によりシート部材１３を基板７に粘着保持させることができるようになっている。
【００４９】
また、図５に示すように、剥離シート２１は例えば帯状に形成されていて、接点ばね１０と伝達部材１６の組合せが複数設けられたシート部材１３の複数と、剥離可能に粘着されている。この状態の剥離シート２１はロール２６にすることが可能である。剥離シート２１は、剥離部２４とカバー部２５とを有している。剥離部２４は、図４に示すように、接点ばね１０が粘着保持されたシート部材１３のシート部材本体１４の面と、接点ばね１０と、スペーサシート１５とを覆った状態で、スペーサシート１５に対して剥離可能に粘着されている。カバー部２５は剥離部２４と一体に形成されたものであり、例えば剥離シート２１の保護シート２３が枠状シート２２よりも長く形成されたものであり、ロール２６の外周面に巻きつけられることによって、伝達部材１６が一体化されている側のシート部材１３の面と、伝達部材１６とを覆った状態となる。ロール２６の外周面に巻きつけられた状態のカバー部２５の終端部は、粘着テープ２７によりロール２６に固定される。
【００５０】
接点ばね付きシート２０によれば次の効果を得られる。
【００５１】
接点ばね付きシート２０によれば、接点ばね１０、伝達部材１６およびシート部材１３をまとめて１部品として扱うことができるので、接点ばね１０の頂部１１のめっきが剥がれにくい押釦スイッチ３の作製の効率の向上に貢献できる。
【００５２】
また、接点ばね付きシート２０では、シート部材１３に対して、接点ばね１０と伝達部材１６との組合せが複数、所定の配列で設けられている。これにより、複数の押釦スイッチ３が配列される操作盤１を作製する際に、複数の接点ばね１０と伝達部材１６との組合せを、１部品としてまとめて扱うことができ、操作盤１の作製の効率の向上に貢献できる。
【００５３】
また、接点ばね付きシート２０では、シート部材１３が発光可能なものからなり、伝達部材１６が光透過性を有するものからなる。これにより、接点ばね１０および伝達部材１６の組付けと、押釦スイッチ３の照光手段の組付けとを同時に行うことができる。また、シート部材１３が照光の光源を兼ねるので、押釦スイッチ３の照光のための部品を削減することができる。
【００５４】
また、接点ばね付きシート２０では、搬送時や保管時に、搬送時や保管時に、接点ばね１０が接着されたシート部材１３の面と接点ばね１０とを剥離シート２１の剥離部２４によって保護することができ、伝達部材１６が接着されたシート部材１３の面と伝達部材１６とを剥離シート２１のカバー部２５によって保護することができる。
【００５５】
なお、接点ばね付きシート２０は、照光手段の組付け性の向上や部品点数の削減のために、シート部材１３が発光可能なものからなり、伝達部材１６が光透過性を有するものからなっているが、本発明はこれに限るものではなく、照光手段の組付け性の向上や部品点数の削減の必要がなければ、シート部材が発光可能なものでなくてもよいし、伝達部材が光透過性を有しているものでなくてもよい。
【図面の簡単な説明】
【００５６】
【図１】本発明の押釦スイッチの一実施形態を複数備えた操作盤を示す断面図である。
【図２】図１に示す操作盤から操作部材とケースを取り除いた状態を示す断面図である。
【図３】図２のIII−III矢視図である。
【図４】図１に示す操作盤の作製に用いられる接点付きシートの一実施形態を示す断面図である。
【図５】図４に示す接点付きシートの搬送時や保管時の状態を示す斜視図である。
【図６】本発明の可動接点の別の例を示す図２に対応する断面図である。
【図７】図６のVII−VII矢視図である。
【符号の説明】
【００５７】
１  操作盤
２  ケース
３  押釦スイッチ
４  操作部材
５  シート
５ａ  突出部
６  シート
６ａ  突起部
７  基板
８  円環状固定接点
９  中央固定接点
１０  接点ばね
１１  頂部
１１ａ  中心
１２  可動接点
１３  シート部材
１４  シート部材本体
１５  スペーサシート
１５ａ  枠部
１６  伝達部材
２０  接点ばね付きシート
２１  剥離シート
２２  枠状シート
２２ａ  開口部
２３  保護シート
２４  剥離部
２５  カバー部
２６  ロール
２７  粘着テープ
３０  可動接点
【図１】
2007299588.tif 000003
【図２】
2007299588.tif 000004
【図３】
2007299588.tif 000005
【図４】
2007299588.tif 000006
【図５】
2007299588.tif 000007
【図６】
2007299588.tif 000008
【図７】
2007299588.tif 000009